(57)【要約】【課題】試料の深さ方向の局所的な複屈折情報の取得において、スペックル雑音等に起因する測定雑音による影響を抑制し、高コントラストに局所偏光特性を計測し、可視化する。【解決手段】偏光感受光画像計測装置１の参照アーム６からの参照光と試料アーム７からの物体光が重畳された干渉光を、回折格子１９で分光し、光検出器２２、２３は、回折格子１９で分光されたスペクトル干渉成分を測定し、試料の深さ方向に累積した複屈折情報からなる断層像を示す画像情報として取得し、その画像情報を画像処理装置に入力させ、画像処理装置において、画像情報から、深さ方向に離れた２カ所間の領域の局所的な複屈折情報を抽出して、該複屈折情報を可視化することを特徴とする。【選択図】図１
2010151684.tif 000002
【特許請求の範囲】
【請求項１】
光源、偏光手段、カプラー、参照アーム、試料アーム、分光器及び画像処理装置を備え、偏光手段で偏光されたビームで試料をスキャンして、試料の深さ方向に累積した複屈折情報からなる断層像を示す画像情報を取得する偏光感受光画像計測装置であって、
前記画像処理装置は、前記画像情報から、深さ方向に離れた２カ所間の領域の累積した複屈折情報を抽出して、該深さの局所的な複屈折情報を可視化することを特徴とする偏光感受光画像計測装置。
【請求項２】
光源、偏光手段、カプラー、参照アーム、試料アーム、分光器及び画像処理装置を備えた偏光感受光画像計測装置であって、
前記試料アームは、前記偏光手段で偏光されたビームで試料の深さ方向に直交する方向にスキャンし、
前記分光器は、回折格子と光検出器を備えており、
前記回折格子は、前記参照アームからの参照光と前記試料アームからの物体光が重畳された干渉光を分光し、
前記光検出器は、前記回折格子で分光されたスペクトル干渉成分を測定し、試料の深さ方向に累積した複屈折情報からなる断層像を示す画像情報として取得し、該画像情報を画像処理装置に入力させ、
前記画像処理装置において、前記画像情報から、深さ方向に離れた２カ所間の領域の累積的な複屈折情報を抽出して、該深さの局所的な複屈折情報を可視化することを特徴とする偏光感受光画像計測装置。
【請求項３】
光源、偏光子、ＥＯ変調器、カプラー、参照アーム、試料アーム及び分光器を備えた偏光感受光画像計測装置であって、
前記偏光子は、前記光源からのビームを直線偏光し、
前記ＥＯ変調器は、前記直線偏光されたビームの偏光状態を試料の深さ方向に直交する一方向のスキャンと同時に連続的に変調し、
前記試料アームは、前記連続的に変調したビームをガルバノ鏡で前記試料の前記一方向のスキャンを行い、
前記分光器は、回折格子と光検出器を備えており、
前記回折格子は、前記参照アームからの参照光と前記試料アームからの物体光が重畳された干渉光を分光し、
前記光検出器は、前記回折格子で分光されたスペクトル干渉成分を測定し、試料の深さ方向に累積した複屈折情報からなる断層像を示す画像情報として取得し、該画像情報を画像処理装置に入力させ、
画像処理装置において、前記画像情報から、深さ方向に離れた２カ所間の領域の累積的な複屈折情報を抽出して、該深さの局所的な複屈折情報を可視化することを特徴とする偏光感受光画像計測装置。
【請求項４】
前記複屈折情報は、位相遅延量差であることを特徴とする請求項１〜３のいずれかに記載の偏光感受光画像計測装置。
【請求項５】
前記複屈折情報は、複屈折の光学軸の方向の変化量であることを特徴とする請求項１〜３のいずれかに記載の偏光感受光画像計測装置。
【請求項６】
前記深さ方向に離れた２カ所間の領域は、試料の深さ方向に複数の画素に分けた場合に、少なくとも１画素をおいた間隔を有することを特徴とする請求項１〜５のいずれかに記載の偏光感受光画像計測装置。
【発明の詳細な説明】
【技術分野】
【０００１】
本発明は、光コヒーレンストモグラフィー（ＯＣＴ：Optical coherence tomography）に関し、特に、局所的な複屈折（偏光）情報を抽出可能な偏光感受光画像計測装置に関する。
【０００２】
即ち、偏光を入射光として用い、試料（被検物体）のもつ複屈折による偏光依存性を試料の偏光情報として捉え、試料のより微細な構造を計測可能とする偏光感受型光コヒーレンストモグラフィー装置（ＰＳ−ＯＣＴ。「偏光感受光画像計測装置」、あるいは「偏光感受型光干渉断層計」ともいう。）において、上記偏光情報から局所的な偏光情報を抽出することを特徴とする偏光感受光画像計測装置（局所複屈折トモグラフィー）に関する。
【背景技術】
【０００３】
従来、物体の内部情報、つまり屈折率分布の微分構造を非破壊、高分解能で捉えるために、ＯＣＴを用いることが行われている。
【０００４】
医療分野等で用いられる非破壊断層計測技術の１つとして、光断層画像化法「光コヒーレンストモグラフィー」（ＯＣＴ）がある（特許文献１参照）。ＯＣＴは、光を計測プローブとして用いるため、被計測物体の屈折率分布、分光情報、偏光情報（複屈折率分布）等が計測できるという利点がある。
【０００５】
基本的なＯＣＴ４３は、マイケルソン干渉計を基本としており、その原理を図４で説明する。光源４４から射出された光は、コリメートレンズ４５で平行化された後に、ビームスプリッター４６により参照光と物体光に分割される。物体光は、物体アーム内の対物レンズ４７によって被計測物体４８に集光され、そこで散乱・反射された後に再び対物レンズ４７、ビームスプリッター４６に戻る。
【０００６】
一方、参照光は参照アーム内の対物レンズ４９を通過した後に参照鏡５０によって反射され、再び対物レンズ４９を通してビームスプリッター４６に戻る。このようにビームスプリッター４６に戻った物体光と参照光は、物体光とともに集光レンズ５１に入射し光検出器５２（フォトダイオード等）に集光される。
【０００７】
ＯＣＴの光源４４は、時間的に低コヒーレンスな光（異なった時刻に光源から出た光同士は極めて干渉しにくい光）の光源を利用する。時間的低コヒーレンス光を光源としたマイケルソン型の干渉計では、参照アームと物体アームの距離がほぼ等しいときにのみ干渉信号が現れる。この結果、参照アームと物体アームの光路長差（τ）を変化させながら、光検出器５２で干渉信号の強度を計測すると、光路長差に対する干渉信号（インターフェログラム）が得られる。
【０００８】
そのインターフェログラムの形状が、被計測物体４８の奥行き方向の反射率分布を示しており、１次元の軸方向走査により被計測物体４８の奥行き方向の構造を得ることができる。このように、ＯＣＴ４３では、光路長走査により、被計測物体４８の奥行き方向の構造を計測できる。
【０００９】
このような軸方向の走査のほかに、横方向の機械的走査を加え、２次元の走査を行うことで被計測物体の２次元断面画像が得られる。この横方向の走査を行う走査装置としては、被計測物体を直接移動させる構成、物体は固定したままで対物レンズをシフトさせる構成、被計測物体も対物レンズも固定したままで、対物レンズの瞳面付近においたガルバノミラーの角度を回転させる構成等が用いられている。
【００１０】
以上の基本的なＯＣＴが発展したものとして、光源の波長を走査してスペクトル干渉信号を得る波長走査型ＯＣＴ（Swept Source OCT、略して「ＳＳ−ＯＣＴ」という。）と、分光器を用いてスペクトル信号を得るスペクトルドメインＯＣＴ（フーリエドメインＯＣＴ（Fourier Domain OCT、略して「ＦＤ−ＯＣＴ」という。特許文献２参照）ともいう）があり、それらに偏光感受機能を付与した偏光感受型ＯＣＴ（Polarization-Sensitive OCT、略して「ＰＳ−ＯＣＴ」という。特許文献３参照）がある。
【００１１】
波長走査型ＯＣＴは、高速波長スキャニングレーザーにより光源の波長を変え、スペクトル信号と同期取得された光源走査信号を用いて干渉信号を最配列し、信号処理を加えることで３次元光断層画像を得るものである。なお、光源の波長を変える手段として、モノクロメーターを利用したものでも、波長走査型ＯＣＴとして利用可能である。この波長走査型ＯＣＴは、Ａスキャン（奥行き方向の走査）を行う必要がなく、Ｂスキャン（試料の奥行方向に垂直な平面上の一方向、例えばｘ軸方向の走査）を行うことで被計測物体の断面構造を計測可能である。
【００１２】
フーリエドメインＯＣＴは、広帯域光源を使用し、被計測物体からの反射光の波長スペクトルを、スペクトロメーター（スペクトル分光器）で取得し、このスペクトル強度分布に対してフーリエ変換することで、実空間（ＯＣＴ信号空間）上での信号を取り出すことを特徴とするものであり、このフーリエドメインＯＣＴは、Ａスキャン（奥行き方向の走査）を行う必要がなく、Ｂスキャン（試料の奥行方向に垂直な平面上の一方向、例えばｘ軸方向の走査）を行うことで被計測物体の断面構造を計測可能である。
【００１３】
偏光感受型ＯＣＴは、波長走査型ＯＣＴおよびフーリエドメインＯＣＴと同様に、広帯域光源を使用し、被計測物体からの反射光の波長スペクトルを光源波長走査あるいはスペクトル分光器で取得するものであるが、入射光及び参照光をそれぞれ１／２波長板、１／４波長板等を通して水平直線偏光、垂直直線偏光、４５°直線偏光、円偏光として、被計測物体からの反射光と参照光を重ねて１／２波長板、１／４波長板等を通して、例えば水平偏光成分だけをスペクトル分光器に入射させて干渉させ、物体光の特定偏光状態をもつ成分だけを取り出してフーリエ変換するものである。この偏光感受型ＯＣＴも、奥行き方向の走査を行う必要がない。
【００１４】
ドップラーＯＣＴは、スペクトル干渉情報のフーリエ変換によって得られる位相の変化量がドップラー信号として被検体の移動速度に対応することを利用し、血流などの速度を求める方法であり、波長走査型ＯＣＴ、フーリエドメインＯＣＴなどに摘要することができる（非特許文献１参照）。
【００１５】
以上、従来のＯＣＴの概略を説明したが、物体の屈折率分布の微分構造は、非破壊、高分解能で捉えることはできるものの、物体そのものが本来持っている偏光依存性を十分捉えることはできない。
【００１６】
特に、ＯＣＴを生体計測へ応用することを考える場合、繊維状の構造（繊維の伸長方向等）や歯のエナメル質の相違に起因する複屈折による偏光依存性を持つ生物試料の、当該偏光情報の測定においては、解像度の低下とともに、構造を捉えられないなどの問題が生じてしまう。
【００１７】
この問題を解決するために、すでに、ＯＣＴのような低コヒーレンス干渉計で、ある特定部分からの散乱光成分とある偏光状態の参照光とを干渉させて、その干渉成分には偏光特性が強く反映され、その結果、奥行き方向の断面のある特定部分の偏光情報を捉える偏光感受光画像計測装置が提案されている（特許文献３参照）。
【００１８】
ところで、従来提案されている偏光感受光画像計測装置では、偏光情報を取得するためには、異なった偏光状態毎にそれぞれ断層画像を計測し、複数枚の断層画像を入手しなければならないという問題があったが、本発明者らは、計測に用いる入射ビーム光の偏光状態を、ＥＯ変調器（偏光変調器、電気光学変調器）を用いて連続的に変調し、１回のＢスキャン（試料の奥行方向に垂直な平面上の一方向、例えばｘ軸方向のスキャン）によって、試料の偏光情報（試料の複屈折（分布）による偏光依存性）を計測する偏光感受光画像計測装置を提案している（特許文献４参照）。
【００１９】
【特許文献１】特開２００２−３１０８９７号公報
【特許文献２】特開平１１−３２５８４９号公報
【特許文献３】特開２００４−０２８９７０号公報
【特許文献４】特開２００７−２９８４６１号公報
【非特許文献１】B. R. White他, Optics Express, １１巻２５号（２００３年）３４９０頁
【非特許文献２】M. Todorovi'c, S. Jiao, L. V. Wang, and G. Stoica. Opt. Lett., 29(25), 2402−2404 (2004)
【非特許文献３】N. Kemp, H. Zaatari, J. Park, H. G. R. III, and T. Milner. Opt. Express, 13(12), 4507−4518 (2005)
【非特許文献４】S. Makita, Y. Yasuno, T. Endo, M. Itoh, and T. Yatagai. Appl. Opt., 45(6), 1142−1147 (2006)
【非特許文献５】S. Guo, J. Zhang, L. Wang, J. S. Nelson, and Z. Chen. Opt. Lett., 29(17), 2025−2027 (2004)
【発明の開示】
【発明が解決しようとする課題】
【００２０】
従来の偏光感受光画像計測装置（ＰＳ−ＯＣＴ）では、特定の深さまでの累積した複屈折（偏光）情報が断層像として得られる。つまり、試料の複屈折情報を光計測する場合、偏光特性として可視化された情報は、光が通過して得られる部分の情報が累積されたものとなり、偏光画像情報は、当該局所より上部（当該局所より試料の入射表面側の部分）の影響を受けていて、表示されている箇所（局所）そのものの偏光情報ではない。
【００２１】
この問題を解決するために、ジョーンズマトリックスを用いた局所複屈折(local birefringence)と光学軸方向の差分(differential optical axis orientation)の計算アルゴリズムを用いて、深さ方向の局所偏光情報を得るために、表面から１画素ごとに補正していく補正手段（非特許文献２〜４参照）、あるいは、２つの連続した画素で補正していく補正手段が知られている（非特許文献１参照）。
【００２２】
しかしながら、上記従来補正手段はいずれも、互いに隣接又は近接した画素間の偏光情報の信号強度の差（微分値等）を取得して補正する手段であるから、信号強度が低い箇所、あるいは信号強度差が微差では、スペックル雑音等に影響され、また測定誤差と区別できず、実用的な画像を得ることができないという問題がある。
【００２３】
本発明は、試料の深さ方向の局所的な複屈折（偏光）情報の取得において、スペックル雑音等に起因する測定雑音による影響を抑制し、高コントラストに局所偏光特性を計測することを目的とするものであり、この断層情報を高精度に解析し、上記断層情報から試料の局所的（ローカル）な複屈折情報を抽出し、可視化しようとするものである。
【００２４】
即ち、本発明は、上記従来の補正手段のように、互いに隣接又は近接した画素間の複屈折情報の信号強度の差（微分値等）を取得して補正するのではなく、所定の領域（例えば、試料の深さ方向に１００μｍ幅のエリア）の局所偏光場を計測することにより、具体的には、深さ方向にある程度離れた画素の２つの累積されたジョーンズマトリックスを用いることで計算される位相遅延量を増大させ、高コントラストで深さ方向の局所的な複屈折（偏光）情報の取得する画像処理手段を備えた局所複屈折トモグラフィーを実現することを課題とする。
【課題を解決するための手段】
【００２５】
本発明は上記課題を解決するために、光源、偏光手段、カプラー、参照アーム、試料アーム、分光器及び画像処理装置を備え、偏光手段で偏光されたビームで試料をスキャンして、試料の深さ方向に累積した複屈折情報からなる断層像を示す画像情報を取得する偏光感受光画像計測装置であって、前記画像処理装置は、前記画像情報から、深さ方向に離れた２カ所間の領域の累積した複屈折情報を抽出して、該深さの局所的な複屈折情報を可視化することを特徴とする偏光感受光画像計測装置を提供する。
【００２６】
本発明は上記課題を解決するために、光源、偏光手段、カプラー、参照アーム、試料アーム、分光器及び画像処理装置を備えた偏光感受光画像計測装置であって、前記試料アームは、前記偏光手段で偏光されたビームで試料の深さ方向に直交する方向にスキャンし、前記分光器は、回折格子と光検出器を備えており、前記回折格子は、前記参照アームからの参照光と前記試料アームからの物体光が重畳された干渉光を分光し、前記光検出器は、前記回折格子で分光されたスペクトル干渉成分を測定し、試料の深さ方向に累積した複屈折情報からなる断層像を示す画像情報として取得し、該画像情報を画像処理装置に入力させ、前記画像処理装置において、前記画像情報から、深さ方向に離れた２カ所間の領域の累積的な複屈折情報を抽出して、該深さの局所的な複屈折情報を可視化することを特徴とする偏光感受光画像計測装置を提供する。
【００２７】
本発明は上記課題を解決するために、光源、偏光子、ＥＯ変調器、カプラー、参照アーム、試料アーム及び分光器を備えた偏光感受光画像計測装置であって、前記偏光子は、前記光源からのビームを直線偏光し、前記ＥＯ変調器は、前記直線偏光されたビームの偏光状態を試料の深さ方向に直交する一方向のスキャンと同時に連続的に変調し、前記試料アームは、前記連続的に変調したビームをガルバノ鏡で前記試料の前記一方向のスキャンを行い、前記分光器は、回折格子と光検出器を備えており、前記回折格子は、前記参照アームからの参照光と前記試料アームからの物体光が重畳された干渉光を分光し、前記光検出器は、前記回折格子で分光されたスペクトル干渉成分を測定し、試料の深さ方向に累積した複屈折情報からなる断層像を示す画像情報として取得し、該画像情報を画像処理装置に入力させ、画像処理装置において、前記画像情報から、深さ方向に離れた２カ所間の領域の累積的な複屈折情報を抽出して、該深さの局所的な複屈折情報を可視化することを特徴とする偏光感受光画像計測装置を提供する。
【００２８】
前記複屈折情報は、位相遅延量差及び複屈折の光学軸方向の変化量であることが好ましい。
【００２９】
前記深さ方向に離れた２カ所間の領域は、試料の深さ方向に複数の画素に分けた場合に、少なくとも１画素をおいた間隔を有することが好ましい。
【発明の効果】
【００３０】
本発明に係る局所偏光感受光画像計測装置（局所複屈折トモグラフィー）によれば、次のような効果が生じる。
（１）試料の断層情報から、所定の領域（例えば、試料の深さ方向に１００μｍ幅のエリア）の局所偏光場を計測する画像処理手段、即ち、深さ方向にある程度離れた画素の２つの累積されたジョーンズマトリックスを用いることで計算される局所位相遅延量を増大させ、高コントラストの深さ方向の局所偏光情報（局所的な複屈折情報）を抽出する画像処理手段を備えた局所複屈折トモグラフィーを実現することができる。
【００３１】
（２）深さ方向の局所偏光情報の抽出において、スペックル雑音等に起因する測定雑音による影響を抑制して高コントラストに局所偏光特性を計測することでき可視化可能であり、試料の断層情報を高精度に解析することが可能となる。
【発明を実施するための最良の形態】
【００３２】
本発明に係る偏光感受光画像計測装置（複屈折トモグラフィー）を実施するための最良の形態を実施例に基づいて図面を参照して説明する。
【実施例】
【００３３】
（全体構成）
本発明に係る偏光感受光画像計測装置は、計測光として偏光を利用したコヒーレンストモグラフィー装置を前提とするものであり、ここでは、本発明の光感受光画像計測装置は、「背景技術」の項で説明した偏光感受光画像計測装置（参考文献４）と同様の構成に適用したもので説明する。よって、まず、本発明の偏光感受光画像計測装置（複屈折トモグラフィー）の前提となる偏光感受光画像計測装置の全体構成について説明する。
【００３４】
本発明に係る偏光感受光画像計測装置は、Ｂスキャンと同時に（同期して）光源からの偏光ビーム（偏光子により直線的に偏光されたビーム）をＥＯ変調器（偏光変調器、電気光学変調器）によって連続的に変調し、この連続的に偏光を変調した偏光ビームを分けて、一方を入射ビームとして走査して試料に照射し、その反射光（物体光）を得ると共に、他方を参照光として、両者のスペクトル干渉によりＯＣＴ計測を行うものである。
【００３５】
そして、このスペクトル干渉成分のうち、垂直偏光成分（Ｈ）と水平偏光成分（Ｖ）を同時に２つの光検出器で測定することにより、試料の偏光特性を表すジョーンズベクトルを得る（Ｈ画像とＶ画像）構成を特徴とするものである。
【００３６】
図１は、本発明の複屈折トモグラフィーの前提となる偏光感受光画像計測装置の光学系の全体構成を示す図である。図１に示す偏光感受光画像計測装置１は、光源２、偏光子３、ＥＯ変調器４、ファイバーカプラー（光カプラー）５、参照アーム６、試料アーム７、分光器８等の光学要素を備えている。この偏光感受光画像計測装置１の光学系は、光学要素が互いにファイバー９で結合されているが、ファイバーで結合されていないタイプの構造（フリースペース型）であってもよい。
【００３７】
光源２は、広帯域スペクトルを有するスーパールミネッセントダイオード（ＳＬＤ：Super Luminescent Diode）を使用する。なお、光源２は、パルスレーザでもよい。光源２には、コリメートレンズ１１、光源２からの光を直線偏光にする偏光子３、進相軸を４５°の方向にセットされたＥＯ変調器（偏光変調器、電気光学変調器）４、集光レンズ１３及びファイバーカプラー５が、順次、接続されている。
【００３８】
ＥＯ変調器４は、進相軸を４５°の方向に固定して、該ＥＯ変調器４にかける電圧を正弦的に変調することで、進相軸とそれに直交する遅相軸との間の位相差（リタデーション）を連続的に変えるもので、これにより、光源２から出て偏光子３で（縦）直線偏光となった光がＥＯ変調器４に入射すると、上記変調の周期で、直線偏光→楕円偏光→直線偏光………などのように変調される。ＥＯ変調器４は、市販されているＥＯ変調器を使用すればよい。
【００３９】
ファイバーカプラー５には分岐するファイバー９を介して、参照アーム６と試料アーム７が接続されている。参照アーム６には、偏波コントローラ（polarization controller）１０、コリメートレンズ１１、偏光子１２、集光レンズ１３及び参照鏡（固定鏡）１４が、順次、設けられている。参照アーム６の偏光子１２は、上記のとおり偏光状態を変調しても参照アーム６から戻ってくる光の強度が変化しないような方向を選択するために用いている。この偏光子１２の方向（直線偏光の偏光方向）の調整は偏波コントローラ１０とセットで行う。
【００４０】
試料アーム７では、偏波コントローラ１５、コリメートレンズ１１、固定鏡２４、ガルバノ鏡１６、集光レンズ１３が、順次、設けられ、ファイバーカプラー５からの入射ビームが２軸のガルバノ鏡１６により走査されて試料１７に照射される。試料１７からの反射光は物体光として再びファイバーカプラー５に戻り、参照光と重畳されて干渉ビームとして分光器８に送られる。
【００４１】
分光器８は、順次接続される偏波コントローラ１８、コリメートレンズ１１、（偏光感受型体積位相ホログラフィック）回折格子１９、フーリエ変換レンズ２０、偏光ビームスプリッター２１及び２つの光検出器２２、２３を備えている。この実施例では、光検出器２２、２３として、ラインＣＣＤカメラ（１次元ＣＣＤカメラ）を利用する。ファイバーカプラー５から送られてくる干渉ビームは、コリメートレンズ１１でコリメートされ、回折格子１９によって干渉スペクトルに分光される。
【００４２】
回折格子１９で分光された干渉スペクトルビームは、フーリエ変換レンズ２０でフーリエ変換され偏光ビームスプリッター２１で水平及び垂直成分に分けられ、それぞれ２つラインＣＣＤカメラ（光検出器）２２、２３で検出される。この２つラインＣＣＤカメラ２２、２３は、水平および垂直偏光信号両方の位相情報を検知するために使われるので、２つのラインＣＣＤカメラ２２、２３は同一の分光器の形成に寄与するものでなくてはならない。
【００４３】
なお、光源２、参照アーム６、試料アーム７及び分光器８には、それぞれ偏波コントローラ１０、１５、１８が設けられているが、これらは、光源２から参照アーム６、試料アーム７、分光器８に送られるそれぞれのビームの初期偏光状態を調整して、ＥＯ変調器４で連続的に変調された偏光状態が、参照光と物体光においても互いに一定の振幅と一定の相対偏光状態の関係が維持され、さらにファイバーカプラー５に接続された分光器８において一定の振幅と一定の相対偏光状態を保たれるようにコントロールする。
【００４４】
また、２つラインＣＣＤカメラ２２、２３を含む分光器８を校正するときはＥＯ変調器４は止める。参照光をブロックし、スライドガラスと反射鏡を試料アーム７におく。この配置は水平および垂直偏光成分のピークの位置が同じであることを保証する。そして、スライドガラスの後ろの面と反射鏡からのＯＣＴ信号は２つの分光器８で検知される。ＯＣＴ信号のピークの位相差はモニターされる。
【００４５】
この位相差はすべての光軸方向の深さでゼロであるべきである。次に、信号は２つラインＣＣＤカメラ２２、２３を含む分光器８で複素スペクトルを得るために、ウィンドウされ逆フーリエ変換される。この位相差はすべての周波数でゼロであるべきなので、これらの値をモニターすることによって２つラインＣＣＤカメラ２２、２３の物理的な位置は位相差が最小になるようにアライメントされる。
【００４６】
上記偏光感受光画像計測装置では、次のように複屈折（偏光）情報を取得できる。光源２からの光を直線偏光し、この直線偏光されたビームをＥＯ変調器４により連続的に偏光状態の変調を行う。即ち、ＥＯ変調器４は、進相軸を４５°の方向に固定して、該ＥＯ変調器４にかける電圧を正弦的に変調することで、進相軸とそれに直交する遅相軸との間の位相差（偏光角：リタデーション）を連続的に変えるもので、これにより、光源２から出て直線偏光子で（縦）直線偏光となった光がＥＯ変調器４に入射すると、上記変調の周期で、直線偏光→楕円偏光→直線偏光………などのように変調される。
【００４７】
そして、直線偏光された偏光ビームをＥＯ変調器４により連続的に偏光状態の変調を行うと同時に、Ｂスキャンを同期して行う。即ち、１回のＢスキャンの間に、ＥＯ変調器４による偏光の連続的な変調を複数周期行う。ここで、１周期とは、偏光角（リターデーション）φが０〜２πと変化する期間である。要するに、この１周期の間に、偏光子からの光の偏光が、直線偏光（垂直偏光）→楕円偏光→直線偏光（水平偏光）………などのように連続的に変調する。
【００４８】
このように偏光ビームの偏光を連続的に変調しながら、試料アーム７では、入射ビームをガルバノ鏡１６により試料１７に走査してＢスキャンを行い、分光器８において、その反射光である物体光と参照光の干渉スペクトルについて、その水平偏光成分および垂直偏光成分を２つのラインＣＣＤカメラ２２、２３で検出する。これにより、１回のＢスキャンによって、それぞれ水平偏光成分及び垂直偏光成分に対応する２枚のＡ−Ｂスキャン画像が得られる。
【００４９】
上記のとおり、１回のＢスキャンの間に、偏光ビームの偏光の連続的な変調を複数周期行うが、各周期（１周期）の連続的な変調の間に２つのラインＣＣＤカメラ２２、２３で検出した水平偏光成分および垂直偏光成分それぞれの複屈折情報が１画素分の複屈折情報となる。１周期の連続的な変調の間に２つのラインＣＣＤカメラ２２、２３で複屈折情報を検出タイミング信号に同期して行い、１周期に検出回数（取込回数）を、４回、８回等、適宜決めればよい。
【００５０】
このようにして１回のＢスキャンの間に得た２枚のＡ−Ｂスキャン画像のデータを、Ｂスキャン方向に１次元フーリエ変換を行う。すると、０次、１次、−１次のピークが出る。ここで、０次のピークをそれぞれ抽出し、そのデータのみを用いて逆フーリエ変換すると、Ｈ０、Ｖ０画像が得られる。同様に、１次のピークをそれぞれ抽出し、そのデータのみを用いて逆フーリエ変換すると、Ｈ１、Ｖ１画像が得られる。
【００５１】
Ｈ０、Ｈ１画像から、試料１７の偏光特性であるジョーンズマトリックスの成分のうち、Ｊ（１，１）およびＪ（１，２）を求める事ができる。そして、Ｖ０、Ｖ１画像から、試料１７の偏光特性である式（１）のジョーンズマトリックスの成分のうち、Ｊ（２，１）およびＪ（２，２）を求める事ができる。
【００５２】
このようにして、１回のＢスキャンにおついて４つの偏光特性を含む情報が得られる。そして、この４つの情報をそれぞれ、通常のＦＤ−ＯＣＴと同様にＡスキャン方向にフーリエ変換すると、１次のピークが試料１７の深さ方向の情報を有し、しかもそれぞれ偏光特性に応じた断層像の画像情報（画像信号）である４枚のＡ−Ｂ画像の情報が得られる。光源として波長走査型光源を用いてもよい。その場合は分光器は用いない。
【００５３】
（特徴的構成）
本発明は、以上のとおりの全体構成を備えた偏光感受光画像計測装置において、ＣＣＤカメラで取得した試料の偏光特性（複屈折）に応じた断層像の画像情報を画像処理装置（具体的には、コンピュータが使用される）に入力して、上記断層像の画像情報から、試料の所定の深さ方向のそれぞれの箇所の局所的な複屈折情報を算出し、この複屈折情報に基づいて、試料の断層像を画像化する画像処理を行う構成を備えた装置である。
【００５４】
本発明では、このような画像処理を行う画像処理装置は、所定のアルゴリズムに基づくソフトによって、コンピュータの演算機能を利用して動作する。このような本発明の特徴的な構成を以下、説明する。
【００５５】
上記全体構成を示す偏光感受光画像計測装置（PS-OCT）（その全体構成は特許文献４に記載ものと同じである）によって、試料の深さ方向の偏光特性（複屈折）に応じた断層像を示す画像情報が得られるが、試料の断層像におけるある箇所についての複屈折情報（偏光情報）は、従来の偏光感受光画像計測装置では、当該箇所の深さまでの累積した複屈折情報が断層像の画像情報として得られていた。
【００５６】
つまり、試料の複屈折情報を光計測する場合、偏光特性として可視化された情報は、光が通過して得られる部分の複屈折情報が累積されたものとなり、局所偏光情報は、試料の当該箇所より上部（当該箇所より試料の入射表面側の部分）の影響を受けていて、表示されている箇所（局所）そのものの複屈折情報ではない。
【００５７】
本発明の偏光感受光画像計測装置における画像処理装置では、断層像におけるある箇所についての複屈折情報を、当該箇所の深さまでの累積した複屈折情報ではなく、深さ方向の当該箇所について、断層像の画像信号から試料の局所（ローカル）における複屈折情報、より具体的には、局所的な偏光特性（複屈折）として抽出することを特徴とするものである。
【００５８】
例えば、試料の深さ方向に、１００μｍ離れた２つの画素ついて、それぞれ複屈折を示す位相差（リタデーション）を抽出し、それらの差を２つの画素のうち深い箇所の複屈折情報とし、当該箇所の断層像の可視化データとする構成に特徴を有するものである。
【００５９】
このような局所的な偏光特性の抽出手段は、本発明の偏光感受光画像計測装置の画像処理装置においては、具体的には、上記のとおり所定のアルゴリズムに基づいたソフトにより、コンピュータの演算部が機能する手段として構成されるものであるが、そのアルゴリズムについて説明する。上記全体構成で得られた試料の深さ方向の所定の箇所の複屈折情報は次のように求められる。
【００６０】
試料の深さ方向の所定の箇所における、試料表面から反射して射出までの往復の累積された位相遅延量（複屈折を示す量）及び光学軸方向（複屈折の方向を示す）を、ジョーンズマトリックス(local round-trip Jones matrix)で示す点については、上記非特許文献５（S. Guo, J. Zhang, L. Wang, J. S. Nelson, and Z. Chen. Opt. Lett., 29(17), 2025-2027 (2004)）にも記載されており、次のとおりである。
【００６１】
深さ方向の所定の箇所における測定されるジョーンズマトリックスＪmeasuredは、行きのファイバー光学系Ｊffiberと帰りの光学系Ｊbfiber、および、試料の影響Ｊｒsample(Zk)をうけ、
Ｊmeasured(Zi)=ＪbfiberＪｒsample(Zｉ)Ｊffiberとなる。ここで、Zkは試料の特定していない深さ（厚さ）を示し、Ziは試料の深さ方向のｉという特定した箇所での深さ（厚さ）を示している。
【００６２】
ところで、試料の深さ方向ｉにおける試料からの寄与は、次の数式１で表される。
【００６３】
【数１】
2010151684.tif 000003
【００６４】
ここで、Ｊｒsample(Zk)が、本発明において求めたい局所（試料表面から当該局所までの往復）ジョーンズマトリックス(local round-trip Jones matrix)である。
【００６５】
本発明では、試料の局所ジョーンズマトリックスを求めるために、ｎ画素離れた（正確にはｎ画素おいて離れた）ジョーンズマトリックスの逆行列を乗ずる。つまり、次の数式２となる。
【００６６】
【数２】
2010151684.tif 000004
【００６７】
ここで、次の数式３で示す部分が、Ｚi+(n+1)/2の深さの位置でのＺi+n−Zｉの厚さ（ｎ画素分の厚さ）の局所（往復）ジョーンズマトリックス（局所的な偏光特性（局所位相遅延量（複屈折）及び複屈折光学軸の方向）を示すもの）となる。
【００６８】
【数３】
2010151684.tif 000005
【００６９】
そして、局所的な複屈折の量を示す局所位相遅延量Ｒ(Zi+(n+1)/2, n)は、上記非特許文献（S.-Y. Lu and R. A. Chipman, Opt. Soc. Am. A, 11(2), 766-773 (1994)）に基づいて、次の数式４のように計算される。
【００７０】
【数４】
2010151684.tif 000006
【００７１】
本発明は、このように、深さ方向にｎ画素おいて離れた２箇所の厚さ（２カ所間の領域）についての局所（往復）ジョーンズマトリックスを、局所的な偏光特性として抽出するものであるが、この２箇所は隣接した画素同士では近接しすぎており、ｎは、深さ方向の画素の大きさ（深さ方向の計測点数）にもよるが、例えば１０以上、要するに、少なくとも１画素以上はあけた２箇所であることが望ましい。
【００７２】
また、ｎはあまり大きすぎても偏光特性の厚さ方向の累積量が大きくなりすぎたり深さ方向の分解能が低下するので、適宜画素数を上限とするべきである。２箇所の厚さは、例えば、上記したように１００μｍ等である。
【００７３】
以上のとおり、本発明の特徴は、試料の複屈折量が小さい場合、大きなｎをとることにより、大きな位相遅延量Ｒを得ることができる点である。これにより高いＳ／Ｎ（信号対雑音）比が得られ鮮明な画像となる。ｎの値は深さ方向の空間分解能、Ｓ／Ｎ比、複屈折情報の変化量などを観点から最適値を決める。これまでの方法と比較して、平均化等による情報量の低下をもたらすことなく高いコントラストの偏光像が得られる
【００７４】
なお、連続した局所（画素）間ではなくｎ画素離れた局所間（２カ所間）の光学軸方向の角度の深さ方向の変化量は、次の数式５で計算される。
【００７５】
【数５】
2010151684.tif 000007
【００７６】
なお、ここでの「光学軸」は、光が進行する方向の光軸ではなく、偏光軸（例．直線偏光軸、楕円偏光の主軸）である。そして、局所間の光学軸方向の角度の深さ方向の変化量（差分）は、ある深さの光学軸方向と、そこからｎ画素深さ方向に進んだ点での光学軸方向の差である。これを差分あるいは微分と言っている。局所的（特定の深さの）光学軸方向は回転（変化）していくわけである。
【００７７】
（測定例）
本発明の偏光感受光画像計測装置による測定例を、以下、説明する。この測定では、上記実施例に示した波長走査型光源とファイバー光学系を用いた偏光感受光画像計測装置（偏光感受型光干渉断層計（PS-OCT））を使用し、試料は、ヒト前眼部の生体を生体内で測定（in-vivo測定）した。
【００７８】
詳細な測定条件は、次のとおりである。光源は、中心波長１３１０ｎｍ、波長走査幅１１０ｎｍ、走査速度２０ｋＨｚで測定点でのパワーは２．０ｍＷである。深さ方向の分解能は空気換算で１１．９μｍ、深さ５７０μｍでの感度は１０２ｄＢである。
【００７９】
ヒト前眼部の測定結果を、図２において説明する。図２Ａ〜Ｃは、従来の偏光感受光画像計測装置で求めた断層像であり、図２Ａは偏光強度像、図２Ｂは累積的位相遅延像（累積的複屈折像）、図２Ｃは相対的光学軸像（光学軸方向の差分像）である。
【００８０】
図２Ｄ、Ｅは、本発明の偏光感受光画像計測装置によって、１００μｍ離れた深さ領域のジョーンズマトリックスから求められた断層像であり、Ｄは局所位相遅延像（局所複屈折像）であり、Ｅは相対的光学軸像（光学軸方向の差分像）である。
【００８１】
ところで、本発明の偏光感受光画像計測装置で得られた局所位相遅延像（局所複屈折像）に、位相遅延量毎に色を割り振り（例えば、位相遅延量０〜５°は赤、５〜１０°は橙、１０〜１５°は黄色、１５〜２０°は青等）、着色し疑似カラー画像とすることで、一目で試料の内部構造を区分けできるようにしてもよい。相対的光学軸像（光学軸方向の差分像）についても同様に疑似カラー画像としてもよい。
【００８２】
このように、図２Ｄの局所位相遅延像（局所複屈折像）を疑似カラー画像とし、これを図２Ａの偏光強度像と合成した図を図３Ａに示す。同様に、図２Ｅの相対的光学軸像（光学軸方向の差分像）を疑似カラー画像とし、これを図２Ａの偏光強度像と合成した図を図３Ｂに示す。
【００８３】
なお、本願添付の図３Ａ、Ｂはカラー画像ではないが、実際はカラー画像として得られ、図３Ｃの解剖学的画像と比較しても、これまでの偏光感受光画像計測装置では観測することができなかった構造が観測でき、試料の内部構造の判別にきわめて有用である。解剖学的画像は、摘出した試料を薬品などで固定、染色してスライスしたものを顕微鏡で観測してものである。
【００８４】
なお、図３ＡのBirefringenceは複屈折であり画像の各部の濃度と位相遅延量の関連を示す。また、図３ＢのDifferential orientationは複屈折光学軸の方向の変化量であり画像の各部の濃度と光学軸の方向（角度）の関連を示す。また、図３Ｃ中のＳＣはシュレム管を示し、Ｔは線維柱帯を示し、ＣＢは毛様体を示し、Ｓは強膜を示し、Iは虹彩を示し、画像中のＣは角膜を示す。
【００８５】
以上のとおり、本発明の偏光感受光画像計測装置は、生体試料等の有する偏光特性について、深さ方向の分布を可視化することができる新規なＯＣＴ技術である。
【００８６】
以上、本発明に係る偏光感受光画像計測装置を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００８７】
本発明に係る偏光感受光画像計測装置は、生体試料等の有する偏光特性の深さ方向の分布を可視化することができるので、眼科における網膜の可視化や、歯科におけるエナメル質の検査等、きめ細かい検査を要する医療分野等に最適であり、また、各種の工業技術分野で試料の内部構造や応力状況の検査、分析に適用も可能である。
【図面の簡単な説明】
【００８８】
【図１】本発明に係る偏光感受光画像計測装置の全体構成を示す図である。
【図２】本発明の測定例を説明する図である。
【図３】本発明の測定例を説明する図である。
【図４】従来のＯＣＴを説明する図である。
【符号の説明】
【００８９】
１  偏光感受光画像計測装置
２  光源
３、１２  偏光子
４  ＥＯ変調器（偏光変調器、電気光学変調器）
５  ファイバーカプラー（光カプラー）
６  参照アーム
７  試料アーム
８  分光器
９  ファイバー
１０、１５、１８  偏波コントローラ（polarization controller）
１１  コリメートレンズ
１３  集光レンズ
１４  参照鏡（固定鏡）
１６  ガルバノ鏡
１７  試料
１９  回折格子
２０  フーリエ変換レンズ
２１  偏光ビームスプリッター
２２、２３  光検出器（ラインＣＣＤカメラ）
２４  固定鏡
【図１】
2010151684.tif 000008
【図４】
2010151684.tif 000009
【図２】
2010151684.tif 000010
【図３】
2010151684.tif 000011